【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
ビデオシーケンスの画像を処理する方法であって、
現在のＨＤＲ画像及び先行するＨＤＲ画像を含む２つの時間的に連続したＨＤＲ画像の時間周波数分解を実行することであって、それにより、高ＨＤＲ時間周波数サブバンド及び低ＨＤＲ時間周波数サブバンドを取得する、ＨＤＲ画像の時間周波数分解を実行することと、
前記２つの時間的に連続するＨＤＲ画像からそれぞれ得られた２つの時間的に連続するＬＤＲ画像の時間周波数分解を実行することであって、それにより、高ＬＤＲ時間周波数サブバンド及び低ＬＤＲ時間周波数サブバンドを取得する、ＬＤＲ画像の時間周波数分解を実行することと、
前記高ＨＤＲ時間周波数サブバンドからＨＤＲエッジマップを取得し、前記高ＬＤＲ時間周波数サブバンドからＬＤＲエッジマップを取得することと、
前記ＨＤＲエッジマップと前記ＬＤＲエッジマップとを比較して、対応するピクセル間の差分を検出することと、
少なくとも１つのピクセルロケーション（ｘ，ｙ）において前記ＨＤＲエッジマップ及び前記ＬＤＲエッジマップで生じる差分について、前記少なくとも１つのピクセルロケーションにおいて前記現在のＬＤＲ画像を補正することであって、前記補正することは、前記エッジマップの比較から、フリッカーアーティファクトの存在と短期的な輝度の非コヒーレント性の存在とを区別する、補正することと
を含む、方法。
【請求項２】
前記ＨＤＲエッジマップは、前記高ＨＤＲ時間周波数サブバンドから、少なくとも１つのＨＤＲ閾値に基づいて取得され、前記ＬＤＲエッジマップは、前記高ＬＤＲ時間周波数サブバンドから、少なくとも１つのＬＤＲ閾値に基づいて得られる、請求項１に記載の方法。
【請求項３】
前記ＨＤＲエッジマップは、キャニーフィルタを前記高ＨＤＲ時間周波数サブバンドに適用することにより取得され、前記ＬＤＲエッジマップは、キャニーフィルタを前記高ＬＤＲ時間周波数サブバンドに適用することにより取得される、請求項１に記載の方法。
【請求項４】
キャニーフィルタを適用することによるエッジ検出は、平滑化ステップ、閾値処理ステップ、及び補間ステップを含む、請求項３に記載の方法。
【請求項５】
時間周波数分解を実行することは、２つの時間的に連続するＨＤＲフレーム又は２つの時間的に連続する対応するＬＤＲフレームのモーション推定から特定されるモーションベクトルに基づいて、モーション補償時間フィルタリングを実行することを含む、請求項１〜４のいずれか一項に記載の方法。
【請求項６】
前記現在のＬＤＲ画像を補正することは、フリッカーアーティファクトを前記ＬＤＲ閾値未満に低減するか、又は短期的な輝度のコヒーレンス性を前記ＬＤＲ閾値を上回るように増大させることを含む、請求項１〜５のいずれか一項に記載の方法。
【請求項７】
前記現在のＬＤＲ画像及び前記先行ＬＤＲ画像は、トーンマッピング処理により前記現在のＨＤＲ画像及び前記先行するＨＤＲ画像からそれぞれ得られる、請求項１〜６のいずれか一項に記載の方法。
【請求項８】
ビデオシーケンスの画像を処理するデバイスであって、
現在のＨＤＲ画像及び先行するＨＤＲ画像を含む２つの時間的に連続したＨＤＲ画像の時間周波数分解を実行して、高ＨＤＲ時間周波数サブバンド及び低ＨＤＲ時間周波数サブバンドを取得するとともに、前記２つの時間的に連続するＨＤＲ画像からそれぞれ得られた２つの時間的に連続するＬＤＲ画像の時間周波数分解を実行して、高ＬＤＲ時間周波数サブバンド及び低ＬＤＲ時間周波数サブバンドを取得するフィルタと、
前記高ＨＤＲ時間周波数サブバンドからＨＤＲエッジマップを取得し、前記高ＬＤＲ時間周波数サブバンドからＬＤＲエッジマップを取得するエッジマップ生成器と、
前記ＨＤＲエッジマップと前記ＬＤＲエッジマップとの比較を実行して、対応するピクセル間の差分を検出するコンパレータと、
少なくとも１つのピクセルロケーション（ｘ，ｙ）において前記ＨＤＲエッジマップ及び前記ＬＤＲエッジマップで生じる差分について、前記少なくとも１つのピクセルロケーションにおいて前記現在のＬＤＲ画像を補正する画像補正器であって、前記補正は、前記エッジマップの比較から、フリッカーアーティファクトの存在と短期的な輝度の非コヒーレント性の存在とを区別する、画像補正器と
を含む、デバイス。
【請求項９】
前記エッジマップ生成器は、前記高ＨＤＲ時間周波数サブバンドから、少なくとも１つのＨＤＲ閾値に基づいてＨＤＲエッジマップを取得し、前記高ＬＤＲ時間周波数サブバンドから、少なくとも１つのＬＤＲ閾値に基づいて前記ＬＤＲエッジマップを取得するように構成される、請求項８に記載のデバイス。
【請求項１０】
前記エッジマップ生成器はキャニーフィルタを含む、請求項８に記載のデバイス。
【請求項１１】
前記キャニーフィルタは、平滑化モジュール、閾値処理モジュール、及びエッジ補間モジュールを含む、請求項１０に記載のデバイス。
【請求項１２】
前記フィルタは、２つの時間的に連続するＨＤＲフレーム又は２つの時間的に連続する対応するＬＤＲフレームのモーション推定から特定されるモーションベクトルに基づいて、モーション補償時間フィルタリングを実行することにより、時間周波数分解を実行するように構成される、請求項８〜１１のいずれか一項に記載のデバイス。
【請求項１３】
ビデオシーケンスの画像を処理する、請求項８〜１２のいずれか一項に記載のデバイスと、ＬＤＲ画像を表示するディスプレイとを含む表示デバイス。
【請求項１４】
プログラマブル装置にロードされ、前記プログラマブル装置により実行されると、請求項１〜７のいずれか一項に記載の方法を実施する命令シーケンスを含む、前記プログラマブル装置のコンピュータプログラム製品。
【手続補正２】
【補正対象書類名】明細書
【補正対象項目名】００８４
【補正方法】変更
【補正の内容】
【００８４】
多くの更なる変更形態及び変形形態は、上記例示的な実施形態を参照した上で、当業者に示唆され、上記例示的な実施形態は、単なる例として与えられ、本発明の範囲の限定を意図せず、本発明の範囲は添付の特許請求の範囲のみにより決定される。特に、異なる実施形態からの異なる特徴は、適切な場合、相互に交換し得る。
［付記１］
ビデオシーケンスの画像を処理する方法であって、
現在のＨＤＲ画像及び先行するＨＤＲ画像を含む２つの時間的に連続するＨＤＲ画像の時間周波数分解を実行すること（Ｓ１０３）であって、それにより、高ＨＤＲ時間周波数サブバンド及び低ＨＤＲ時間周波数サブバンドを取得する、ＨＤＲ画像の時間周波数分解を実行すること（Ｓ１０３）と、
前記２つの時間的に連続するＨＤＲ画像からそれぞれ得られた２つの時間的に連続するＬＤＲ画像の時間周波数分解を実行すること（Ｓ１０４）であって、それにより、高ＬＤＲ時間周波数サブバンド及び低ＬＤＲ時間周波数サブバンドを取得する、ＬＤＲ画像の時間周波数分解を実行すること（Ｓ１０４）と、
前記高ＨＤＲ時間周波数サブバンドからＨＤＲエッジマップを取得し、前記高ＬＤＲ時間周波数サブバンドからＬＤＲエッジマップを取得することと、
前記高ＨＤＲ時間周波数サブバンドと前記高ＬＤＲ時間周波数サブバンドとの比較に基づいて、前記現在のＬＤＲ画像を変更すること（Ｓ１０５）であって、前記比較は、前記取得されたＨＤＲエッジマップ及びＬＤＲエッジマップに対して実行され（Ｓ３３０）て、対応するピクセル間の差分を検出することで実行される、変更すること（Ｓ１０５）と
を含む、方法。
［付記２］
前記エッジマップの比較から、フリッカーアーティファクトの存在と短期的な輝度の非コヒーレンス性の存在とを区別することを含む、付記１に記載の方法。
［付記３］
前記ＨＤＲエッジマップ（Ｓ３１１）は、前記高ＨＤＲ時間周波数サブバンドから、少なくとも１つのＨＤＲ閾値に基づいて取得され、前記ＬＤＲエッジマップ（Ｓ３２１）は、前記高ＬＤＲ時間周波数サブバンドから、少なくとも１つのＬＤＲ閾値に基づいて取得される、付記１又は２に記載の方法。
［付記４］
前記ＨＤＲエッジマップは、キャニーフィルタを前記高ＨＤＲ時間周波数サブバンドに適用することにより取得され、前記ＬＤＲエッジマップは、キャニーフィルタを前記高ＬＤＲ時間周波数サブバンドに適用することにより取得される、付記１又は２に記載の方法。
［付記５］
キャニーフィルタを適用することによるエッジ検出は、平滑化ステップ、閾値処理ステップ、及び補間ステップを含む、付記４に記載の方法。
［付記６］
時間周波数分解を実行することは、２つの時間的に連続するＨＤＲフレーム又は２つの時間的に連続する対応するＬＤＲフレームのモーション推定から特定されるモーションベクトルに基づいて、モーション補償時間フィルタリングを実行することを含む、付記１〜５のいずれか一項に記載の方法。
［付記７］
前記現在のＬＤＲ画像を変更することは、フリッカーアーティファクトを前記ＬＤＲ閾値未満に低減するか、又は短期的な輝度のコヒーレンス性を前記ＬＤＲ閾値を上回るように増大させることを含む、付記１〜６のいずれか一項に記載の方法。
［付記８］
前記現在のＬＤＲ画像及び前記先行するＬＤＲ画像は、トーンマッピング処理により前記現在のＨＤＲ画像及び前記先行するＨＤＲ画像からそれぞれ得られる、付記１〜７のいずれか一項に記載の方法。
［付記９］
ビデオシーケンスの画像を処理するデバイスであって、
現在のＨＤＲ画像及び先行するＨＤＲ画像を含む２つの時間的に連続したＨＤＲ画像の時間周波数分解を実行して、高ＨＤＲ時間周波数サブバンド及び低ＨＤＲ時間周波数サブバンドを取得するとともに、前記２つの時間的に連続するＨＤＲ画像からそれぞれ得られた２つの時間的に連続するＬＤＲ画像の時間周波数分解を実行して、高ＬＤＲ時間周波数サブバンド及び低ＬＤＲ時間周波数サブバンドを取得するフィルタ（５２１）と、
前記高ＨＤＲ時間周波数サブバンドと前記高ＬＤＲ時間周波数サブバンドとの比較を実行するコンパレータ（５２２）と、
前記高ＨＤＲ時間周波数サブバンドと前記高ＬＤＲ時間周波数サブバンドとの比較に基づいて、前記現在のＬＤＲ画像を変更する画像補正器（５２３）と、
前記高ＨＤＲ時間周波数サブバンドからＨＤＲエッジマップを取得し、前記高ＬＤＲ時間周波数サブバンドからＬＤＲエッジマップを取得するエッジマップ生成器であって、前記コンパレータは、前記取得されたＨＤＲエッジマップ及び前記ＬＤＲエッジマップに対して比較を実行して、対応するピクセル間の差分を検出するように構成される、エッジマップ生成器と
を含む、デバイス。
［付記１０］
前記エッジマップ生成器は、前記高ＨＤＲ時間周波数サブバンドから、少なくとも１つのＨＤＲ閾値に基づいてＨＤＲエッジマップを取得し、前記高ＬＤＲ時間周波数サブバンドから、少なくとも１つのＬＤＲ閾値に基づいて前記ＬＤＲエッジマップを取得するように構成される、付記９に記載のデバイス。
［付記１１］
前記エッジマップ生成器はキャニーフィルタを含む、付記９に記載のデバイス。
［付記１２］
前記キャニーフィルタは、平滑化モジュール、閾値処理モジュール、及びエッジ補間モジュールを含む、付記１１に記載のデバイス。
［付記１３］
前記フィルタは、２つの時間的に連続するＨＤＲフレーム又は２つの時間的に連続する対応するＬＤＲフレームのモーション推定から特定されるモーションベクトルに基づいて、モーション補償時間フィルタリングを実行することにより、時間周波数分解を実行するように構成される、付記９〜１２のいずれか一項に記載のデバイス。
［付記１４］
ビデオシーケンスの画像を処理する、付記９〜１３のいずれか一項に記載のデバイス（５２０）と、
ＬＤＲ画像を表示するディスプレイ（５３０）と
を含む表示デバイス。
［付記１５］
プログラマブル装置にロードされ、前記プログラマブル装置により実行されると、付記１〜８のいずれか一項に記載の方法を実施する命令シーケンスを含む、前記プログラマブル装置のコンピュータプログラム製品。